(57)【特許請求の範囲】
【請求項１】
監視領域を撮影して、その撮影データを配信する１以上の監視カメラと、
上記監視カメラの映像ケーブルの接続を受け付けるポートを複数備えており、或る監視カメラから配信された撮影データが或るポートから入力されると、上記ポートに対応するＩＤを上記撮影データに付与し、ＩＤ付の撮影データを転送するネットワークスイッチと、
上記ネットワークスイッチにより転送されたＩＤ付の撮影データを受信すると、上記撮影データに付与されているＩＤを参照して、上記撮影データの配信元の監視カメラの映像ケーブルが接続されているポートを識別する機能を有する映像監視装置と
を備えた映像監視システム。
【請求項２】
映像監視装置は、撮影データの配信元の監視カメラの映像ケーブルが接続されているポートを識別すると、上記ポートに対応するＩＰアドレスを上記監視カメラに設定することを特徴とする請求項１記載の映像監視システム。
【請求項３】
映像監視装置は、撮影データに付与されているＩＤと、上記撮影データの配信元の監視カメラのＩＰアドレスとを照合し、上記ＩＤと上記ＩＰアドレスの組み合わせが予め設定されている組み合わせと異なる場合、上記監視カメラの接続先のポートが間違っている旨を示す情報を出力することを特徴とする請求項１記載の映像監視システム。
【請求項４】
ネットワークスイッチは、監視カメラの撮影データがＩＰパケットに格納され、そのＩＰパケットを含むイーサネットフレームが配信される場合、或るポートから上記イーサネットフレームが入力されると、上記ポートに対応するＶＬＡＮ・ＩＤを上記イーサネットフレームに付与して、ＶＬＡＮ・ＩＤ付のイーサネットフレームを転送し、
映像監視装置は、上記ネットワークスイッチにより転送されたＶＬＡＮ・ＩＤ付のイーサネットフレームを受信すると、ＲＡＷソケットを用いて、上記イーサネットフレームに付与されているＶＬＡＮ・ＩＤを読み取り、そのＶＬＡＮ・ＩＤを参照して、上記イーサネットフレームの配信元の監視カメラの映像ケーブルが接続されているポートを識別する
ことを特徴とする請求項１記載の映像監視システム。
【請求項５】
ネットワークスイッチは、監視カメラの撮影データがＩＰパケットに格納され、そのＩＰパケットを含むイーサネットフレームが配信される場合、或るポートから上記イーサネットフレームが入力されると、上記ポートに対応するＶＬＡＮ・ＩＤを上記イーサネットフレームに付与して、ＶＬＡＮ・ＩＤ付のイーサネットフレームを転送し、
映像監視装置は、ソフトウェアにより仮想的に構築されている仮想入出力手段を複数備えている場合、上記ネットワークスイッチにより転送されたＶＬＡＮ・ＩＤ付のイーサネットフレームを受信すると、上記イーサネットフレームに付与されているＶＬＡＮ・ＩＤに対応する仮想入出力手段を特定して、上記イーサネットフレームを上記仮想入出力手段に転送し、上記イーサネットフレームに含まれているＩＰパケットに格納されている撮影データに対して、上記仮想入出力手段に対応するメディア処理を行う
ことを特徴とする請求項１記載の映像監視システム。
【発明の詳細な説明】
【技術分野】
【０００１】
この発明は、監視カメラから配信される撮影データ（映像、音声のデータ）を受信し、その撮影データにしたがって監視領域の映像の表示や、映像の記録などを行う映像監視システムに関するものである。
【背景技術】
【０００２】
映像監視システムでは、監視領域が複数箇所あれば、監視カメラを複数の監視領域に設置して、複数の監視カメラの映像ケーブルを映像機器の入力端子に接続するようにしている。
このとき、監視カメラの映像ケーブルを接続する入力端子を間違えてしまうと、映像機器に取り込まれた撮影データの配信元の監視カメラを取り違えてしまうため、一般的には、監視カメラの映像ケーブルの両端に物理的なタグ（接続対象の入力端子の番号等が記載されているタグ）が取り付けられている（例えば、特許文献１を参照）。
この場合、映像監視システムの施工者や設置者は、監視カメラの映像ケーブルの両端に取り付けられている物理的なタグを参照して、その映像ケーブルを適正な入力端子に接続することになる。【０００３】
しかし、映像監視システムがネットワーク化されており、監視カメラの撮影データがＩＰ（Ｉｎｔｅｒｎｅｔ  Ｐｒｏｔｏｃｏｌ）パケットに格納され、そのＩＰパケットを含むイーサネットフレーム（イーサネット（Ethernet）は登録商標／以下、記載を省略する）が配信される場合、上記のようなタグではなく、監視カメラのＭＡＣ（Ｍｅｄｉａ  Ａｃｃｅｓｓ  Ｃｏｎｔｒｏｌ）アドレスと、監視カメラの設置場所に関する情報との対応関係を示す表を参照して、監視カメラの映像ケーブルの接続や設定を行う必要がある。
【先行技術文献】
【特許文献】
【０００４】
【特許文献１】特開２００３−３２４７１３号公報（図２）
【発明の概要】
【発明が解決しようとする課題】
【０００５】
従来の映像監視システムは以上のように構成されているので、ＩＰ技術やＥｔｈｅｒｎｅｔ技術に詳しい施工者等であれば、監視カメラのＭＡＣアドレスと、監視カメラの設置場所に関する情報との対応関係を示す表を参照することで、監視カメラの映像ケーブルの接続や設定が容易に行われると考えられるが、ＩＰ技術やＥｔｈｅｒｎｅｔ技術に詳しくない施工者等も多くいるため、ネットワークがＩＰ化されている映像監視システムの普及が中々進まないなどの課題があった。【０００６】
この発明は上記のような課題を解決するためになされたもので、監視カメラの映像ケーブルが接続されたポートを簡単に確認することできるとともに、ネットワークがＩＰ化されていても、設置の際には映像ケーブルの両端に取り付けられる物理的なタグを見るだけで、映像ケーブルの接続先を確認することができる映像監視システムを得ることを目的とする。
【課題を解決するための手段】
【０００７】
この発明に係る映像監視システムは、監視領域を撮影して、その撮影データを配信する１以上の監視カメラと、監視カメラの映像ケーブルの接続を受け付けるポートを複数備えており、或る監視カメラから配信された撮影データが或るポートから入力されると、そのポートに対応するＩＤを上記撮影データに付与し、ＩＤ付の撮影データを転送するネットワークスイッチと、ネットワークスイッチにより転送されたＩＤ付の撮影データを受信すると、その撮影データに付与されているＩＤを参照して、その撮影データの配信元の監視カメラの映像ケーブルが接続されているポートを識別する機能を有する映像監視装置とを備えるようにしたものである。
【発明の効果】
【０００８】
この発明によれば、監視カメラの映像ケーブルの接続を受け付けるポートを複数備えており、或る監視カメラから配信された撮影データが或るポートから入力されると、そのポートに対応するＩＤを上記撮影データに付与し、ＩＤ付の撮影データを転送するネットワークスイッチを設け、映像監視装置が、ネットワークスイッチにより転送されたＩＤ付の撮影データを受信すると、その撮影データに付与されているＩＤを参照して、その撮影データの配信元の監視カメラの映像ケーブルが接続されているポートを識別する機能を有するように構成したので、監視カメラの映像ケーブルが接続されたポートを簡単に確認することができる効果がある。また、ネットワークがＩＰ化されていても、接続対象のポートを記述している物理的なタグを映像ケーブルの両端に取り付けることが可能であるため、そのタグを見るだけで、映像ケーブルの接続先を確認することができる効果がある。
【図面の簡単な説明】
【０００９】
【図１】この発明の実施の形態１による映像監視システムを示す構成図である。
【図２】ポートとＶＬＡＮ・ＩＤなどの対応関係を表しているテーブルの一例を示す説明図である。
【図３】この発明の実施の形態４による映像監視システムを示す構成図である。
【図４】ポート、ＶＬＡＮ・ＩＤ、監視カメラ及び仮想ＮＩＣの対応関係を表しているテーブルの一例を示す説明図である。
【発明を実施するための形態】
【００１０】
以下、この発明をより詳細に説明するために、この発明を実施するための形態について、添付の図面に従って説明する。
【００１１】
実施の形態１．
図１はこの発明の実施の形態１による映像監視システムを示す構成図である。
図１において、監視カメラ１−１〜１−３は監視領域を撮影して、その撮影データをＩＰパケットに格納し、そのＩＰパケットを含むイーサネットフレームを配信する撮影機器である。
図１では、監視カメラ１−１〜１−３が３台である例を示しているが、後述するイーサネットスイッチ３が５以上のポートを備えていれば、４台以上の監視カメラ１が設置されていてもよい。
【００１２】
イーサネットスイッチ３は監視カメラ１−１〜１−３の映像ケーブル２−１〜２−３の接続を受け付けるポート４−１〜４−３を備えており、或る監視カメラ１から配信されたイーサネットフレームが或るポート４から入力されると、そのポート４に対応するＶＬＡＮ・ＩＤを上記イーサネットフレームに付与し、ＩＤ付のイーサネットフレームを映像監視装置７に転送するネットワーク機器である。なお、イーサネットスイッチ３はネットワークスイッチを構成している。
【００１３】
イーサネットスイッチ３のポート４−１〜４−３は監視カメラ１−１〜１−３の映像ケーブル２−１〜２−３の接続を受け付ける入力インタフェースであり、ポート４−４は映像監視装置７の映像ケーブル８の接続を受け付ける入力インタフェースである。
図１の例では、ポート４−４が映像監視装置７の映像ケーブル８の接続を受け付けているが、監視カメラ１−１〜１−３の映像ケーブル２−１〜２−３のいずれかの接続を受け付けて、ポート４−１〜４−３のいずれかが映像監視装置７の映像ケーブル８の接続を受け付けるようにしてもよい。
【００１４】
イーサネットスイッチ３のＩＤ付与部５は例えばＣＰＵを実装している半導体集積回路、あるいは、ワンチップマイコンなどから構成されており、或る監視カメラ１から配信されたイーサネットフレームが或るポート４から入力されると、ポートとＶＬＡＮ・ＩＤの対応関係を示すテーブル（図２のテーブル）を参照して、そのポート４に対応するＶＬＡＮ・ＩＤを特定し、そのＶＬＡＮ・ＩＤをイーサネットフレームに付与する処理を実施する。
イーサネットスイッチ３の通信制御部６は図２のテーブルを参照して、ＩＤ付与部５によりＶＬＡＮ・ＩＤが付与されたイーサネットフレームの転送先が映像監視装置７であることを認識し、ＶＬＡＮ・ＩＤ付のイーサネットフレームを映像監視装置７に転送する通信機器である。
また、通信制御部６は映像監視装置７から配信された制御情報（例えば、監視カメラ１に設定するＩＰアドレスを示す情報）などを格納しているＩＰパケットを含むイーサネットフレームがポート４−４から入力されると、図２のテーブルを参照して、そのイーサネットフレームの転送先の監視カメラ１を認識し、そのイーサネットフレームを転送する処理を実施する。
【００１５】
映像監視装置７はイーサネットスイッチ３により転送されたＶＬＡＮ・ＩＤ付のイーサネットフレームを受信すると、ＲＡＷソケットを用いて、そのイーサネットフレームに付与されているＶＬＡＮ・ＩＤを読み取り、そのＶＬＡＮ・ＩＤを参照して、そのイーサネットフレームの配信元の監視カメラ１の映像ケーブル２が接続されているポート４を識別する機能を備えている。
映像監視装置７のＮＩＣ（Ｎｅｔｗｏｒｋ  Ｉｎｔｅｒｆａｃｅ  Ｃａｒｄ）９はイーサネットフレームを受信するインタフェース機器である。
【００１６】
映像監視装置７のＩＤ判別部１０は例えばＣＰＵを実装している半導体集積回路、あるいは、ワンチップマイコンなどから構成されており、ＮＩＣ９がＶＬＡＮ・ＩＤ付のイーサネットフレームを受信すると、ＲＡＷソケットを用いて、そのイーサネットフレームに付与されているＶＬＡＮ・ＩＤを読み取り、図２のテーブルを参照して、そのＶＬＡＮ・ＩＤに対応するポート４を特定することで、イーサネットフレームの配信元の監視カメラ１の映像ケーブル２が接続されているポート４を識別する処理を実施する。
映像監視装置７のデータ処理部１１は例えばＣＰＵを実装している半導体集積回路、あるいは、ワンチップマイコンなどから構成されており、ＩＤ判別部１０により識別されたポート４を図示せぬディスプレイに表示する処理を実施する。あるいは、そのイーサネットフレームに含まれているＩＰパケットに格納されている撮影データに対して、そのポート４に対応するメディア処理（例えば、所定の画像サイズや画質などを設定して、その撮影データが示す映像の表示（音声の出力を含む）や記録、あるいは、ＶＬＡＮ・ＩＤに対応するカメラ番号付の映像の表示や記録など）等を実施する。
【００１７】
次に動作について説明する。
この実施の形態１では、接続対象のポート４−１〜４−３が記述されている物理的なタグが、例えば、監視カメラ１−１〜１−３の映像ケーブル２−１〜２−３の両端に取り付けられているものとする。
この実施の形態１では、ネットワークがＩＰ化されていても、監視カメラ１−１〜１−３の映像ケーブル２−１〜２−３を接続することが可能なポートを特定のポートに限定しているので、接続対象のポートを記述している物理的なタグを映像ケーブル２−１〜２−３の両端に取り付けることができる。
【００１８】
この場合、映像監視システムの施工者や設置者は、監視カメラ１−１〜１−３の映像ケーブル２−１〜２−３の両端に取り付けられているタグを参照して、その映像ケーブル２−１〜２−３を接続するポート４−１〜４−３を確認してから、その映像ケーブル２−１〜２−３を適正なポート４−１〜４−３に接続することになる。
ただし、タグを参照して、映像ケーブル２−１〜２−３を接続するポート４−１〜４−３を確認しても、誤接続の可能性を完全には排除することができないので、映像監視装置７がイーサネットフレームの配信元の監視カメラ１が接続されているポート４を識別するようにしている。
【００１９】
監視カメラ１−１〜１−３の映像ケーブル２−１〜２−３が、イーサネットスイッチ３のポート４−１〜４−３にそれぞれ接続されており、例えば、監視カメラ１−１が監視領域を撮影すると、その撮影データをＲＴＰ（Ｒｅａｌｔｉｍｅ  Ｓｔｒｅａｍｉｎｇ  Ｐｒｏｔｏｃｏｌ）などのパケットに格納して、そのパケットをＩＰパケットに格納する。
そして、監視カメラ１−１は、そのＩＰパケットをイーサネットフレームに格納して、そのイーサネットフレームを配信する。
このとき、監視カメラ１−１の映像ケーブル２−１が、正しい接続先であるイーサネットスイッチ３のポート４−１に接続されていれば、監視カメラ１−１から配信されたイーサネットフレームはポート４−１からイーサネットスイッチ３に入力される。
【００２０】
イーサネットスイッチ３のＩＤ付与部５は、監視カメラ１−１から配信されたイーサネットフレームがポート４−１から入力されると、ポートとＶＬＡＮ・ＩＤ（ＩＥＥＥ８０２．１Ｑ規格で定められているＩＤ）の対応関係を示す図２のテーブルを参照して、そのポート４−１に対応するＶＬＡＮ・ＩＤを特定し、そのＶＬＡＮ・ＩＤをイーサネットフレームに付与する。
図２はポートとＶＬＡＮ・ＩＤなどの対応関係を表しているテーブルの一例を示す説明図である。
図２の例では、ポート４−１に対応するＶＬＡＮ・ＩＤが“１００１”であるため、イーサネットフレームには、ＶＬＡＮ・ＩＤとして“１００１”が付与される。
ただし、監視カメラ１−１の映像ケーブル２−１がポート４−２に誤接続された場合、監視カメラ１−１から配信されたイーサネットフレームがポート４−２から入力されるため、イーサネットフレームには、ＶＬＡＮ・ＩＤとして“１００２”が付与される。
【００２１】
なお、ポート４−１〜４−３のＩＤ付与属性が“付与する”であるため、ポート４−１〜４−３から入力されたイーサネットフレームには、ＩＤ付与部５によってＶＬＡＮ・ＩＤが付与されるが、図２の例では、ポート４−４のＩＤ付与属性が“付与しない”であるため、ポート４−４から入力されたイーサネットフレーム（映像監視装置７から配信された制御情報などを格納しているＩＰパケットを含むイーサネットフレーム）には、ＩＤ付与部５によってＶＬＡＮ・ＩＤが付与されない。
【００２２】
イーサネットスイッチ３の通信制御部６は、ＩＤ付与部５がＶＬＡＮ・ＩＤをイーサネットフレームに付与すると、そのイーサネットフレームにおけるＩＰパケットのＩＰヘッダに含まれている送信先のＩＰアドレスを参照し、そのＩＰアドレスに対してＶＬＡＮ・ＩＤ付のイーサネットフレームを転送する。
即ち、通信制御部６は、ＶＬＡＮ・ＩＤ付のイーサネットフレームを転送する際、図２のテーブルを参照して、そのＶＬＡＮ・ＩＤに対応するポートを確認し、そのポートに対して、ＶＬＡＮ・ＩＤ付のイーサネットフレームを出力することで、そのイーサネットフレームを映像監視装置７に転送する。
【００２３】
ＶＬＡＮ・ＩＤとして“１００１”が付与されていれば、ＶＬＡＮ・ＩＤ“１００１”に対応するポートは、監視カメラ１−１の映像ケーブル２−１が接続されているポート４−１の他には、映像監視装置７の映像ケーブル８が接続されているポート４−４だけであるため、ＶＬＡＮ・ＩＤ付のイーサネットフレームがポート４−４に出力されることで、そのイーサネットフレームが映像監視装置７に転送される。
なお、監視カメラ１−１の映像ケーブル２−１がポート４−２に誤接続されることで、ＶＬＡＮ・ＩＤとして“１００２”が付与されている場合でも、ＶＬＡＮ・ＩＤ“１００２”に対応するポートは、監視カメラ１−１の映像ケーブル２−１が接続されているポート４−２の他には、映像監視装置７の映像ケーブル８が接続されているポート４−４だけであるため、ＶＬＡＮ・ＩＤ付のイーサネットフレームがポート４−４に出力されることで、そのイーサネットフレームが映像監視装置７に転送される。
【００２４】
映像監視装置７のＮＩＣ９は、特定のＶＬＡＮ・ＩＤが付与されているイーサネットフレームだけを受信するインタフェース機器であり、イーサネットスイッチ３から転送されたＶＬＡＮ・ＩＤ付のイーサネットフレームについては受信を受け付けて、そのイーサネットフレームをＩＤ判別部１０に転送する。
【００２５】
映像監視装置７のＩＤ判別部１０は、ＮＩＣ９からＶＬＡＮ・ＩＤ付のイーサネットフレームを受けると、例えば、ＲＡＷソケットを用いて、そのイーサネットフレームに付与されているＶＬＡＮ・ＩＤを読み取る。ここでは、ＲＡＷソケットを用いて、ＶＬＡＮ・ＩＤを読み取っているが、ＲＡＷソケットに限るものではなく、他の手段を用いて、ＶＬＡＮ・ＩＤを読み取るようにしてもよい。
ＩＤ判別部１０は、イーサネットフレームに付与されているＶＬＡＮ・ＩＤを読み取ると、図２のテーブルを参照して、そのＶＬＡＮ・ＩＤに対応するポート４を特定することで、そのイーサネットフレームの配信元の監視カメラ１−１の映像ケーブル２−１が接続されているポート４を識別する。
例えば、ＶＬＡＮ・ＩＤとして“１００１”が付与されていれば、監視カメラ１−１の映像ケーブル２−１が接続されているポートがポート４−１であると識別し、ＶＬＡＮ・ＩＤとして“１００２”が付与されていれば、監視カメラ１−１の映像ケーブル２−１が接続されているポートがポート４−２であると識別する。
【００２６】
映像監視装置７のデータ処理部１１は、ＩＤ判別部１０が、イーサネットフレームの配信元の監視カメラ１−１の映像ケーブル２−１が接続されているポート４を識別すると、例えば、そのポート４を図示せぬディスプレイに表示する。
例えば、ＶＬＡＮ・ＩＤとして“１００１”が付与されていれば、監視カメラ１−１の映像ケーブル２−１が接続されているポートがポート４−１である旨が表示されるので、例えば、映像監視システムの施工管理者等が、この表示を見れば、監視カメラ１−１の映像ケーブル２−１が正しく接続されていることを確認することができる。
一方、ＶＬＡＮ・ＩＤとして“１００２”が付与されていれば、監視カメラ１−１の映像ケーブル２−１が接続されているポートがポート４−２である旨が表示されるので、例えば、映像監視システムの施工管理者等が、この表示を見れば、監視カメラ１−１の映像ケーブル２−１が間違ってポート４−２に接続されていることを確認することができる。
【００２７】
また、データ処理部１１は、イーサネットフレームに含まれているＩＰパケットに格納されている撮影データに対して、ＶＬＡＮ・ＩＤ“１００１”又はポート４−１に対応するメディア処理（例えば、所定の画像サイズや画質などを設定して、その撮影データが示す映像の表示（音声の出力を含む）や記録、あるいは、ＶＬＡＮ・ＩＤに対応するカメラ番号付の映像の表示や記録など）等を実施する。
【００２８】
以上で明らかなように、この実施の形態１によれば、監視カメラ１の映像ケーブル２の接続を受け付けるポート４を複数備えており、或る監視カメラ１から配信されたイーサネットフレーム（撮影データを格納しているＩＰパケットを含むフレーム）が或るポート４から入力されると、そのポート４に対応するＶＬＡＮ・ＩＤを上記イーサネットフレームに付与し、ＩＤ付のイーサネットフレームを映像監視装置７に転送するイーサネットスイッチ３を設け、映像監視装置７が、イーサネットスイッチ３により転送されたＶＬＡＮ・ＩＤ付のイーサネットフレームを受信すると、ＲＡＷソケットを用いて、そのイーサネットフレームに付与されているＶＬＡＮ・ＩＤを読み取り、そのＶＬＡＮ・ＩＤを参照して、そのイーサネットフレームの配信元の監視カメラ１の映像ケーブル２が接続されているポート４を識別する機能を有するように構成したので、監視カメラ１の映像ケーブル２が接続されたポート４を簡単に確認することできる効果を奏する。
また、ネットワークがＩＰ化されていても、接続対象のポート４を記述している物理的なタグを映像ケーブル２の両端に取り付けることが可能であるため、そのタグを見るだけで、映像ケーブル２の接続先を確認することができる効果を奏する。
【００２９】
実施の形態２．
上記実施の形態１では、監視カメラ１−１〜１−３のＩＰアドレスの設定については特に言及していないが、映像監視装置７が、イーサネットフレームの配信元の監視カメラ１の映像ケーブル２が接続されているポート４を識別すると、そのポート４に対応するＩＰアドレスを監視カメラ１に設定するようにしてもよい。
具体的には、以下の通りである。
【００３０】
映像監視装置７のデータ処理部１１は、ＩＤ判別部１０が、例えば、イーサネットフレームの配信元の監視カメラ１−１の映像ケーブル２−１が接続されているポートが、ポート４−１であることを識別すると、ポート４−１に対応するＩＰアドレスを監視カメラ１−１に設定するために、ＮＩＣ９を介して、ポート４−１に対応するＩＰアドレスを示す制御情報を格納しているＩＰパケットを含むイーサネットフレーム（ポート４−１に対応するＶＬＡＮ・ＩＤ“１００１”付のイーサネットフレーム）をイーサネットスイッチ３に転送する。
【００３１】
イーサネットスイッチ３の通信制御部６は、映像監視装置７から配信されたＶＬＡＮ・ＩＤのイーサネットフレームがポート４−４から入力されると、そのＶＬＡＮ・ＩＤ“１００１”を読み取り、図２のテーブルを参照して、ＶＬＡＮ・ＩＤ“１００１”に対応するポート４−１を特定する。
そして、通信制御部６は、ＶＬＡＮ・ＩＤ“１００１”に対応するポート４−１に対して、そのイーサネットフレームを出力することで、そのイーサネットフレームを監視カメラ１−１に転送する。
監視カメラ１−１は、イーサネットスイッチ３から転送されたイーサネットフレームを受信すると、そのイーサネットフレームに含まれているＩＰパケットから制御情報を読み出し、その制御情報が示すＩＰアドレスを自己のＩＰアドレスとして設定する。
【００３２】
実施の形態３．
上記実施の形態１では、イーサネットフレームの配信元の監視カメラ１の映像ケーブル２が接続されているポート４を識別して、そのポートをディスプレイに表示するものを示したが、映像監視装置７が、イーサネットフレームに付与されているＶＬＡＮ・ＩＤと、イーサネットフレームの配信元の監視カメラ１のＩＰアドレスとを照合し、そのＶＬＡＮ・ＩＤとＩＰアドレスの組み合わせが予め設定されている組み合わせと異なる場合、監視カメラ１の接続先のポート４が間違っている旨を示す情報を図示せぬディスプレイに表示などを行うようにしてもよい。
【００３３】
具体的には、以下の通りである。
映像監視装置７以外の処理内容は、上記実施の形態１と同様であるため、映像監視装置７の処理内容だけを説明する。
ここでは、監視カメラ１−１の映像ケーブル２−１が誤ってポート４−２に接続された例を説明する。
【００３４】
映像監視装置７のＩＤ判別部１０は、ＮＩＣ９からＶＬＡＮ・ＩＤ付のイーサネットフレームを受けると、例えば、ＲＡＷソケットを用いて、そのイーサネットフレームに付与されているＶＬＡＮ・ＩＤを読み取る。
この例では、監視カメラ１−１の映像ケーブル２−１が誤ってポート４−２に接続されているため、そのポート４−２に対応する“１００２”のＶＬＡＮ・ＩＤが付与されている。
ＩＤ判別部１０は、イーサネットフレームに付与されているＶＬＡＮ・ＩＤ“１００２”を読み取ると、図２のテーブルを参照して、そのＶＬＡＮ・ＩＤ“１００２”に対応するポート４−２を特定するとともに、そのイーサネットフレームに付与されている送信元のＩＰアドレス（監視カメラ１−１のＩＰアドレス）を特定する。
ここでは、説明の便宜上、監視カメラ１−１のＩＰアドレスは、“１０．１．１．１０１”であるとする。
【００３５】
ＩＤ判別部１０は、ＶＬＡＮ・ＩＤ“１００２”に対応するポート４−２と、監視カメラ１−１のＩＰアドレス“１０．１．１．１０１”とを照合し、そのＶＬＡＮ・ＩＤとＩＰアドレスの組み合わせが、予め設定されている組み合わせであるか否かを判定する。
即ち、ＩＤ判別部１０は、図２のテーブルを参照して、ＶＬＡＮ・ＩＤ“１００２”に対応するポート４−２と、ＩＰアドレス“１０．１．１．１０１”の組み合わせが予め設定されているか否かを判定する。
図２の例では、ＶＬＡＮ・ＩＤ“１００２”に対応するＩＰアドレスは、“１０．１．１．１０２”であり、上記の組み合わせは予め設定されていないと判定される。
【００３６】
ＩＤ判別部１０は、上記の組み合わせが予め設定されていないと判定すると、監視カメラ１−１の映像ケーブル２−１が誤ってポート４−２に接続されていると認定する。
映像監視装置７のデータ処理部１１は、ＩＤ判別部１０の認定結果を図示せぬディスプレイに表示する。あるいは、ＩＤ判別部１０の認定結果を示す情報を外部装置等に出力する。
これにより、例えば、映像監視システムの施工管理者等が、この表示を見れば、特に監視カメラ１の映像ケーブル２の接続先を示す対応表などを見ることなく、監視カメラ１−１の映像ケーブル２−１が間違ってポート４−２に接続されていることを簡単に確認することができるようになり、上記実施の形態１よりも、確認処理の容易化を図ることができる効果を奏する。
【００３７】
実施の形態４．
図３はこの発明の実施の形態４による映像監視システムを示す構成図であり、図において、図１と同一符号は同一または相当部分を示すので説明を省略する。
仮想ＮＩＣ２０−１〜２０−３はソフトウェアにより仮想的に構築されている仮想入出力手段である。ただし、ＣＰＵを実装している半導体集積回路、あるいは、ワンチップマイコンなどによって、仮想ＮＩＣ２０−１〜２０−３を構築してもよい。
【００３８】
ＩＤ判別部２１は例えばＣＰＵを実装している半導体集積回路、あるいは、ワンチップマイコンなどから構成されており、ＮＩＣ９がＶＬＡＮ・ＩＤ付のイーサネットフレームを受信すると、ＲＡＷソケットを用いて、そのイーサネットフレームに付与されているＶＬＡＮ・ＩＤを読み取り、図４のテーブルを参照して、そのＶＬＡＮ・ＩＤに対応する仮想ＮＩＣ２０を特定して、そのイーサネットフレームを当該仮想ＮＩＣ２０に転送する処理を実施する。
ＩＤ判別部２１は図１のＩＤ判別部１０と異なり、イーサネットフレームの配信元の監視カメラ１の映像ケーブル２が接続されているポート４を識別する処理は行わない。
【００３９】
データ処理部２２は例えばＣＰＵを実装している半導体集積回路、あるいは、ワンチップマイコンなどから構成されており、仮想ＮＩＣ２０−１〜２０−３に対応するソケット（ＲＡＷソケットではなく、一般的なソケットでもよい）を使用することで、仮想ＮＩＣ２０−１〜２０−３の何れかに転送されたイーサネットフレームを受信し、そのイーサネットフレームに含まれているＩＰパケットに格納されている撮影データに対して、その仮想ＮＩＣ２０に対応するメディア処理（例えば、所定の画像サイズや画質などを設定して、その撮影データが示す映像の表示（音声の出力を含む）や記録、あるいは、ＶＬＡＮ・ＩＤに対応するカメラ番号付の映像の表示や記録など）等を実施する。
また、データ処理部２２は仮想ＮＩＣ２０−１〜２０−３の何れかに転送されたイーサネットフレームを受信すると、図１のＩＤ判別部１０と同様の方法で、イーサネットフレームの配信元の監視カメラ１の映像ケーブル２が接続されているポート４を識別する処理、あるいは、上記実施の形態３に示している映像ケーブル２の誤接続を検出する処理を実施する。
【００４０】
次に動作について説明する。
ただし、映像監視装置７以外の処理内容は、上記実施の形態１〜３と同様であるため、映像監視装置７の処理内容だけを説明する。
図４はポート、ＶＬＡＮ・ＩＤ、監視カメラ及び仮想ＮＩＣの対応関係を表しているテーブルの一例を示す説明図である。
【００４１】
映像監視装置７のＮＩＣ９は、特定のＶＬＡＮ・ＩＤが付与されているイーサネットフレームだけを受信するインタフェース機器であり、上記実施の形態１と同様に、イーサネットスイッチ３から転送されたＶＬＡＮ・ＩＤ付のイーサネットフレームの受信を受け付けて、そのイーサネットフレームをＩＤ判別部２１に転送する。
ＩＤ判別部２１は、ＮＩＣ９がＶＬＡＮ・ＩＤ付のイーサネットフレームを受信すると、ＲＡＷソケットを用いて、そのイーサネットフレームに付与されているＶＬＡＮ・ＩＤを読み取る。
そして、ＩＤ判別部２１は、図４のテーブルを参照して、そのＶＬＡＮ・ＩＤに対応する仮想ＮＩＣ２０を特定して、そのイーサネットフレームを当該仮想ＮＩＣ２０に転送する。
例えば、イーサネットフレームに付与されているＶＬＡＮ・ＩＤが“１００１”であれば、そのイーサネットフレームを仮想ＮＩＣ２０−１に転送し、ＶＬＡＮ・ＩＤが“１００２”であれば、そのイーサネットフレームを仮想ＮＩＣ２０−２に転送し、ＶＬＡＮ・ＩＤが“１００３”であれば、そのイーサネットフレームを仮想ＮＩＣ２０−３に転送する。
【００４２】
データ処理部２２は、仮想ＮＩＣ２０−１〜２０−３に対応するソケット（ＲＡＷソケットではなく、一般的なソケットでもよい）を使用することで、仮想ＮＩＣ２０−１〜２０−３の何れかに転送されたイーサネットフレームを受信する。
データ処理部２２は、仮想ＮＩＣ２０−１〜２０−３の何れかに転送されたイーサネットフレームを受信すると、図１のＩＤ判別部１０と同様の方法で、イーサネットフレームの配信元の監視カメラ１の映像ケーブル２が接続されているポート４を識別する処理、あるいは、上記実施の形態３に示している映像ケーブル２の誤接続を検出する処理を実施する。
【００４３】
また、データ処理部２２は、そのイーサネットフレームに含まれているＩＰパケットに格納されている撮影データに対して、その仮想ＮＩＣ２０に対応するメディア処理（例えば、所定の画像サイズや画質などを設定して、その撮影データが示す映像の表示（音声の出力を含む）や記録、あるいは、ＶＬＡＮ・ＩＤに対応するカメラ番号付の映像の表示や記録など）等を実施する。
【００４４】
以上で明らかなように、この実施の形態２によれば、ソフトウェアにより仮想的に構築されている仮想ＮＩＣ２０−１〜２０−３を備えている場合、イーサネットスイッチ３により転送されたＶＬＡＮ・ＩＤ付のイーサネットフレームを受信すると、イーサネットフレームに付与されているＶＬＡＮ・ＩＤに対応する仮想ＮＩＣ２０を特定して、そのイーサネットフレームを上記仮想ＮＩＣ２０に転送し、そのイーサネットフレームに含まれているＩＰパケットに格納されている撮影データに対して、上記仮想ＮＩＣ２０に対応するメディア処理を行うように構成したので、上記実施の形態１〜３と同様の効果を奏するほかに、システムの開発が容易になる効果が得られる。
即ち、仮想ＮＩＣ２０−１〜２０−３はドライバソフトウェアにより実現され、また、ＩＤ判別部２１についてもドライバソフトウェアで実現することが可能であるため、ＩＤ判別部２１もドライバソフトウェアで実現するとすれば、データ処理部２２のみを開発すればよく、映像監視装置７の開発が容易になる効果が得られる。
【００４５】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００４６】
以上のように、この発明に係る映像監視システムは、監視カメラの映像ケーブルが接続されたポートを簡単に確認することができるようにしたため、監視カメラから配信される撮影データ（映像、音声のデータ）を受信し、その撮影データにしたがって監視領域の映像の表示や、映像の記録などを行う映像監視システムに用いるのに適している。
【符号の説明】
【００４７】
１−１〜１−３  監視カメラ、２−１〜２−３  監視カメラの映像ケーブル、３  イーサネットスイッチ、４−１〜４−４  ポート、５  ＩＤ付与部、６  通信制御部、７  映像監視装置、８  映像監視装置の映像ケーブル、９  ＮＩＣ、１０  ＩＤ判別部、１１  データ処理部、２０−１〜２０−３  仮想ＮＩＣ（仮想入出力手段）、２１  ＩＤ判別部、２２  データ処理部。
【図１】
0005606637.tif 000002
【図２】
0005606637.tif 000003
【図３】
0005606637.tif 000004
【図４】
0005606637.tif 000005